(57)【要約】【課題】  クラウン表地における接合箇所が少ない帽子を提供する。【解決手段】  左前被覆部１１ａ１と右前被覆部１１ａ２と左横被覆部１１ｂ１と右横被覆部１１ｂ２と左後被覆部１１ｂ３と右後被覆部１１ｂ４とを有する略半球状のクラウン表地１１が、互いに接合された複数枚の接合用生地１３ａ，１３ｂ，１４によって構成された帽子において、少なくとも、クラウン表地１１における前方被覆部１１ａ（左前被覆部１１ａ１及び右前被覆部１１ａ２）と後方被覆部１１ｂ（左横被覆部１１ｂ１、右横被覆部１１ｂ２、左後被覆部１１ｂ３及び右後被覆部１１ｂ４）とを、別の接合用生地（接合用生地１３ａ，１３ｂと接合用生地１４）によって構成するとともに、クラウン表地１１における後方被覆部１１ｂを、２枚以下の接合用生地１４によって構成した。【選択図】図２
2019081992.tif 000002
【特許請求の範囲】
【請求項１】
着用者頭部の左前部を覆う略三角状の左前被覆部と、
着用者頭部の右前部を覆う略三角状の右前被覆部と、
着用者頭部の左横部を覆う略三角状の左横被覆部と、
着用者頭部の右横部を覆う略三角状の右横被覆部と、
着用者頭部の左後部を覆う略三角状の左後被覆部と、
着用者頭部の右後部を覆う略三角状の右後被覆部と、
を有する略半球状のクラウン表地が、互いに縫合される複数枚の縫合用生地によって構成された帽子であって、
少なくとも、クラウン表地における、
左前被覆部及び右前被覆部で構成される前方被覆部と、
左横被覆部、右横被覆部、左後被覆部及び右後被覆部で構成される後方被覆部とが、
別の縫合用生地によって構成されるとともに、
クラウン表地における後方被覆部が、２枚以下の縫合用生地によって構成された
ことを特徴とする帽子。
【請求項２】
クラウン表地における後方被覆部が、その左横被覆部から、左後被覆部と右後被覆部とを経て、右横被覆部に至る部分までにおいて連続する１枚の縫合用生地によって構成された請求項１記載の帽子。
【請求項３】
クラウン表地における後方被覆部が、
その左横被覆部から左後被覆部に至る部分までにおいて連続する縫合用生地と、
その右横被覆部から右後被覆部に至る部分までにおいて連続する縫合用生地と、
からなる計２枚の縫合用生地によって構成された請求項１記載の帽子。
【請求項４】
クラウン表地における前方被覆部が、芯地を含む硬質生地によって構成され、
クラウン表地における後方被覆部が、芯地を含まない柔軟生地によって構成された
請求項１〜３いずれか記載の帽子。
【請求項５】
クラウン表地における後方被覆部を構成する生地と同じ枚数で略同一形状を為すクラウン裏地が、クラウン表地における後方被覆部の内面側に配され、
クラウン裏地が、その周縁部以外の部分ではクラウン表地に対して縫合されない構造とされた
請求項１〜４いずれか記載の帽子。
【請求項６】
クラウン表地における後方被覆部の外面に、刺繍又はワッペンによる意匠部が施された請求項１〜５いずれか記載の帽子。
【請求項７】
意匠部が、クラウン表地における、
左横被覆部と左後被覆部との境界部分、
右横被覆部と右後被覆部との境界部分、又は、
左後被覆部と右後被覆部との境界部分
の中から選ばれる少なくとも１つの境界部分に跨った状態で施された
請求項６記載の帽子。
【請求項８】
着用者頭部の左前部を覆う略三角状の左前被覆部と、
着用者頭部の右前部を覆う略三角状の右前被覆部と、
着用者頭部の左横部を覆う略三角状の左横被覆部と、
着用者頭部の右横部を覆う略三角状の右横被覆部と、
着用者頭部の左後部を覆う略三角状の左後被覆部と、
着用者頭部の右後部を覆う略三角状の右後被覆部と、
を有する略半球状のクラウン表地が、互いに接合される複数枚の接合用生地によって構成された帽子であって、
少なくとも、クラウン表地における、
左前被覆部及び右前被覆部で構成される前方被覆部と、
左横被覆部、右横被覆部、左後被覆部及び右後被覆部で構成される後方被覆部とが、
別の接合用生地によって構成されるとともに、
クラウン表地における後方被覆部が、２枚以下の接合用生地によって構成された
ことを特徴とする帽子。
【請求項９】
クラウン表地における後方被覆部が、その左横被覆部から、左後被覆部と右後被覆部とを経て、右横被覆部に至る部分までにおいて連続する１枚の接合用生地によって構成された請求項８記載の帽子。
【請求項１０】
クラウン表地における後方被覆部が、
その左横被覆部から左後被覆部に至る部分までにおいて連続する接合用生地と、
その右横被覆部から右後被覆部に至る部分までにおいて連続する接合用生地と、
からなる計２枚の接合用生地によって構成された請求項８記載の帽子。
【請求項１１】
クラウン表地における前方被覆部が、芯地を含む硬質生地によって構成され、
クラウン表地における後方被覆部が、芯地を含まない柔軟生地によって構成された
請求項８〜１０いずれか記載の帽子。
【請求項１２】
クラウン表地における後方被覆部を構成する生地と同じ枚数で略同一形状を為すクラウン裏地が、クラウン表地における後方被覆部の内面側に配され、
クラウン裏地が、その周縁部以外の部分ではクラウン表地に対して接合されない構造とされた
請求項８〜１１いずれか記載の帽子。
【請求項１３】
クラウン表地における後方被覆部の外面に、刺繍又はワッペンによる意匠部が施された請求項８〜１２いずれか記載の帽子。
【請求項１４】
意匠部が、クラウン表地における、
左横被覆部と左後被覆部との境界部分、
右横被覆部と右後被覆部との境界部分、又は、
左後被覆部と右後被覆部との境界部分
の中から選ばれる少なくとも１つの境界部分に跨った状態で施された
請求項１３記載の帽子。
【請求項１５】
着用者頭部の左前部を覆う略三角状の左前被覆部と、
着用者頭部の右前部を覆う略三角状の右前被覆部と、
着用者頭部の左横部を覆う略三角状の左横被覆部と、
着用者頭部の右横部を覆う略三角状の右横被覆部と、
着用者頭部の左後部を覆う略三角状の左後被覆部と、
着用者頭部の右後部を覆う略三角状の右後被覆部と、
を有する略半球状のクラウン表地が、互いに接合される複数枚の接合用生地によって構成された帽子であって、
クラウン表地における、
左前被覆部、左横被覆部及び左後被覆部で構成される左側被覆部と、
右前被覆部、右横被覆部及び右後被覆部で構成される右側被覆部とが、
別の接合用生地によって構成されるとともに、
クラウン表地における左側被覆部が、連続する１枚の接合用生地によって構成されて、
クラウン表地における右側被覆部が、連続する１枚の接合用生地によって構成された
ことを特徴とする帽子。
【請求項１６】
クラウン表地における左側被覆部の内面側に配されるクラウン裏地が、左側被覆部のクラウン表地と略同一形状をなす１枚の生地によって構成されて、
左側被覆部のクラウン表地とクラウン裏地とが、その周縁部以外の部分では接合されない構造とされ、
クラウン表地における右側被覆部の内面側に配されるクラウン裏地が、右側被覆部のクラウン表地と略同一形状をなす１枚の生地によって構成されて、
右側被覆部のクラウン表地とクラウン裏地とが、その周縁部以外の部分では接合されない構造とされた
請求項１５記載の帽子。
【請求項１７】
クラウン表地における左側被覆部又は右側被覆部の外面に、刺繍又はワッペンによる意匠部が施された請求項１５又は１６記載の帽子。
【請求項１８】
意匠部が、クラウン表地における、
左前被覆部と左横被覆部との境界部分、
左横被覆部と左後被覆部との境界部分、
右前被覆部と右横被覆部との境界部分、又は、
右横被覆部と右後被覆部との境界部分
の中から選ばれる少なくとも１つの境界部分に跨った状態で施された
請求項１７記載の帽子。
【請求項１９】
着用者頭部の左前部を覆う略三角状の左前被覆部と、
着用者頭部の右前部を覆う略三角状の右前被覆部と、
着用者頭部の左横部を覆う略三角状の左横被覆部と、
着用者頭部の右横部を覆う略三角状の右横被覆部と、
着用者頭部の左後部を覆う略三角状の左後被覆部と、
着用者頭部の右後部を覆う略三角状の右後被覆部と、
を有する略半球状のクラウン表地が、互いに接合される複数枚の接合用生地によって構成された帽子であって、
クラウン表地における、
左横被覆部の前側略半分と、左前被覆部と、右前被覆部と、右横被覆部の前側略半分とで構成される前側被覆部と、
左横被覆部の後側略半分と、左後被覆部と、右後被覆部と、右横被覆部の後側略半分とで構成される後側被覆部とが、
別の接合用生地によって構成されるとともに、
クラウン表地における前側被覆部が、連続する１枚の接合用生地によって構成されて、
クラウン表地における後側被覆部が、連続する１枚の接合用生地によって構成された
ことを特徴とする帽子。
【請求項２０】
クラウン表地における前側被覆部の内面側に配されるクラウン裏地が、前側被覆部のクラウン表地と略同一形状をなす１枚の生地によって構成されて、
前側被覆部のクラウン表地とクラウン裏地とが、その周縁部以外の部分では接合されない構造とされ、
クラウン表地における後側被覆部の内面側に配されるクラウン裏地が、後側被覆部のクラウン表地と略同一形状をなす１枚の生地によって構成されて、
後側被覆部のクラウン表地とクラウン裏地とが、その周縁部以外の部分では接合されない構造とされた
請求項１９記載の帽子。
【請求項２１】
クラウン表地における前側被覆部又は後側被覆部の外面に、刺繍又はワッペンによる意匠部が施された請求項２０記載の帽子。
【請求項２２】
意匠部が、クラウン表地における、
左横被覆部と左前被覆部との境界部分、
左前被覆部と右前被覆部との境界部分、
右前被覆部と右横被覆部との境界部分、
左横被覆部と左後被覆部との境界部分、
左後被覆部と右後被覆部との境界部分、又は、
右後被覆部と右横被覆部との境界部分
の中から選ばれる少なくとも１つの境界部分に跨った状態で施された
請求項２１記載の帽子。
【請求項２３】
請求項１〜２２いずれか記載の帽子の製造方法。
【発明の詳細な説明】
【技術分野】
【０００１】
本発明は、クラウン表地が複数枚の接合用生地を接合することによって略半球状に形成される帽子と、この帽子の製造方法とに関する。
【背景技術】
【０００２】
野球帽等の帽子におけるクラウンは、通常、「レンゲ」と呼ばれる略二等辺三角形状に裁断された複数枚の縫合用生地の側縁同士を縫合することにより、略半球状に形成される。略半球状に形成されたクラウンには、鍔やビン皮等、帽子の種類に応じて必要な部材を取り付けた後、仕上げ工程として「型入れ」という作業が行われることになる。
【０００３】
この種の帽子におけるクラウン表地は、例えば特許文献１の図１に示されるように、着用者頭部の左前部を覆う左前被覆部（同図の「左前部２１」）と、着用者頭部の右前部を覆う右前被覆部（同図の「右前部２２」）と、着用者頭部の左横部を覆う左横被覆部（同図の「左中部２３」）と、着用者頭部の右横部を覆う右横被覆部（同図の「右中部２４」）と、着用者頭部の左後部を覆う左後被覆部（同図の「左後部２５」）と、着用者頭部の右後部を覆う右後被覆部（同図の「右後部２６」）とが、それぞれ別の縫合用生地（レンゲ）によって形成されたものが一般的となっていた。
【先行技術文献】
【特許文献】
【０００４】
【特許文献１】特開２０１０−１０６４００号公報
【発明の概要】
【発明が解決しようとする課題】
【０００５】
ところが、特許文献１の帽子のように、左前被覆部と右前被覆部と左横被覆部と右横被覆部と左後被覆部と右後被覆部とに分かれた縫合用生地を縫合してクラウン表地を形成する場合には、１つのクラウン表地を半球状に仕上げるために、６枚もの縫合用生地を要するという欠点があった。特に、縫合用生地の縫合は、通常、人がミシンを操作することによって行われるため、かなりの手間を要する。縫合用生地の縫合作業は、帽子の製造コストの上昇を招く一因にもなっていた。
【０００６】
また、クラウン表地を構成する縫合用生地の端縁（他の縫合用生地に縫合される端縁）には、解れを防止するために、裏打ち用帯片（例えば特許文献１の図１における「裏打ち用帯片３０」を参照。）が縫い付けられることが一般的であり、縫合用生地の縫合部分は、その周辺と比べて硬い部分となりやすかった。このため、クラウン表地の多数箇所に縫合部分が存在すると、その帽子の着用者が頭部に違和感を覚えやすくなるという問題もあった。特に、野球帽等の運動帽の着用者は、短髪であることが多く、帽子の感触が頭部に伝わりやすいため、野球帽等の運動帽におけるクラウン表地に多数の縫合部分を設けることは好ましくなかった。
【０００７】
さらに、クラウン表地の外面には、刺繍やワッペン等によって意匠部が施されることもあるところ、クラウン表地の縫合部分は、縫合糸によってシワがよりやすく平坦になりにくいことに加えて、上記のように硬くなりやすくもあるため、意匠部を施す箇所としては適していなかった。このため、クラウン表地の多数箇所に縫合部分が存在する帽子は、意匠部の寸法や配置が制限されやすいという欠点も有していた。
【０００８】
本発明は、上記課題を解決するためになされたものであり、クラウン表地における接合箇所（縫合箇所や溶着箇所等）が少なく、製造コストを抑えることができる帽子を提供するものである。また、被り心地が良好な帽子を提供することも本発明の目的である。さらに、クラウン表地の外面に設ける意匠部の寸法や配置の自由度が高い帽子を提供することも本発明の目的である。そして、この帽子の製造方法を提供することも本発明の目的である。
【課題を解決するための手段】
【０００９】
上記課題は、
着用者頭部の左前部を覆う略三角状の左前被覆部と、
着用者頭部の右前部を覆う略三角状の右前被覆部と、
着用者頭部の左横部を覆う略三角状の左横被覆部と、
着用者頭部の右横部を覆う略三角状の右横被覆部と、
着用者頭部の左後部を覆う略三角状の左後被覆部と、
着用者頭部の右後部を覆う略三角状の右後被覆部と、
を有する略半球状のクラウン表地が、互いに接合される複数枚の接合用生地によって構成された帽子であって、
少なくとも、クラウン表地における、
左前被覆部及び右前被覆部で構成される前方被覆部と、
左横被覆部、右横被覆部、左後被覆部及び右後被覆部で構成される後方被覆部とが、
別の接合用生地によって構成されるとともに、
クラウン表地における後方被覆部が、２枚以下の接合用生地によって構成された
ことを特徴とする帽子
を提供することによって解決される。
【００１０】
ここで、「接合」とは、「縫合」だけでなく、「溶着」等をも含む概念である。帽子のクラウン表地等は、複数枚の縫合用生地（接合用生地）をミシン等で縫合することによって形成されるものが一般的であるが、本発明の帽子の技術的範囲は、縫合用生地（接合用生地）を縫合したものに限定されない。すなわち、複数枚の接合用生地を超音波ミシン等で溶着することによってクラウン表地等を形成する構成等も、本発明の帽子の技術的範囲に含まれるものとする。クラウン表地等を構成する接合用生地を超音波ミシンによって溶着すると、シームレスとすることができ、帽子の外観や被り心地を向上することが可能になる。
【００１１】
従来の帽子では、そのクラウン表地における後方被覆部が、左横被覆部と右横被覆部と左後被覆部と右後被覆部とに分かれた４枚の接合用生地で形成されるところ、本発明の帽子のように、この後方被覆部を構成する接合用生地を２枚以下に抑えることによって、クラウン表地の接合箇所を減らすことが可能になる。このため、接合用生地を接合する手間を軽減し、帽子の製造コストを抑えることが可能になる。また、帽子の着用者が違和感を覚えやすい接合箇所がクラウン表地に少なく、被り心地が良好な帽子を提供することも可能になる。さらに、刺繍やワッペン等による意匠部を施すのに障害となる接合箇所がクラウン表地に少なく、意匠部の寸法や配置の自由度が高い帽子を提供することも可能になる。
【００１２】
本発明の帽子では、クラウン表地における後方被覆部が、２枚以下の接合用生地によって構成される。このため、本発明の帽子のタイプとしては、クラウン表地における後方被覆部が１枚の接合用生地によって構成された「後方１枚タイプ」のものと、２枚の接合用生地によって構成された「後方２枚タイプ」のものとがある。
【００１３】
まず、後方１枚タイプの帽子としては、クラウン表地における後方被覆部が、その左横被覆部から、左後被覆部と右後被覆部とを経て、右横被覆部に至る部分までにおいて連続する１枚の接合用生地によって構成されたものが挙げられる。
【００１４】
この後方１枚タイプの帽子は、クラウン表地の後方被覆部が１枚の接合用生地によって形成されているため、クラウン表地における、左横被覆部と左後被覆部との境界部分や、右横被覆部と右後被覆部との境界部分や、左後被覆部と右後被覆部との境界部分等を接合する必要のないものとなっている。このため、クラウン表地の接合に要する手間を大幅に軽減するだけでなく、帽子を被った際の違和感を大幅に軽減することができる。また、クラウン表地の後方被覆部の広い範囲において、刺繍やワッペンによる意匠部を好適に施すこともできる。
【００１５】
また、後方２枚タイプの帽子としては、
クラウン表地における後方被覆部が、
その左横被覆部から左後被覆部に至る部分までにおいて連続する接合用生地と、
その右横被覆部から右後被覆部に至る部分までにおいて連続する接合用生地と、
からなる計２枚の接合用生地によって構成されたものが挙げられる。
【００１６】
この後方２枚タイプの帽子は、クラウン表地を、左後被覆部と右後被覆部との境界部分では接合する必要があり、上記の後方１枚タイプの帽子と比較して、接合箇所が１箇所増えるものの、それでも、クラウン表地における、左横被覆部と左後被覆部との境界部分や、右横被覆部と右後被覆部との境界部分は、接合する必要のないものとなっている。このため、後方２枚タイプの帽子でもなお、クラウン表地の接合に要する手間を大幅に軽減するだけでなく、帽子を被った際の違和感を大幅に軽減することができる。また、クラウン表地の後方被覆部の広い範囲において、刺繍やワッペンによる意匠部を好適に施すこともできる。
【００１７】
ところで、本発明の帽子において、クラウン表地における前方被覆部（左前被覆部及び右前被覆部）と、クラウン表地における後方被覆部（左横被覆部、右横被覆部、左後被覆部及び右後被覆部）とは、別の接合用生地によって形成されることについては、既に述べた通りである。クラウン表地は、６枚もの接合用生地を使用しなくても、少なくとも２枚の接合用生地を使用すれば、略半球状に形成することができる。ただし、クラウン表地における前方被覆部を形成する接合用生地と、クラウン表地における後方被覆部を形成する接合用生地とを、いずれも厚手のもの（芯地を含むような硬質のもの）とした場合には、それらを接合して形成されるクラウン表地が、綺麗な半球状にならず、歪な形になりやすくなる。一方、クラウン表地における前方被覆部を形成する接合用生地と、クラウン表地における後方被覆部を形成する接合用生地とを、いずれも薄手のもの（芯地を含まない柔軟のもの）とした場合には、それらを接合して形成されるクラウン表地に保形性を付与しにくくなる。
【００１８】
このため、本発明の帽子においては、
クラウン表地における前方被覆部を、芯地を含む硬質生地によって構成し、
クラウン表地における後方被覆部を、芯地を含まない柔軟生地によって構成する
と好ましい。
これにより、クラウン表地の形態を綺麗な半球状に形成するだけでなく、クラウン表地に保形性を付与することも可能になる。
【００１９】
また、本発明の帽子において、クラウンは、クラウン表地のみで形成してもよいが、クラウン表地の内面側に裏地（クラウン裏地）を配置することもできる。これにより、帽子のクラウンにおける着用者の頭部に接触する側の面を肌触りのよい素材で形成して、帽子の被り心地をさらに向上させることや、クラウン表地とクラウン裏地との間に通気空間を持たせてクラウンにベンチレーション機能を付与すること等が可能になる。ただし、この場合、クラウン表地の接合箇所を減らしたにもかかわらず、クラウン裏地の接合箇所が多いのでは、本発明の帽子が意図する効果を十分に奏することができなくなる虞がある。
【００２０】
このため、本発明の帽子においては、
クラウン表地における後方被覆部を構成する生地と同じ枚数で略同一形状を為すクラウン裏地を、クラウン表地における後方被覆部の内面側に配し、
そのクラウン裏地が、その周縁部以外の部分ではクラウン表地に対して接合されない構造を採用すると好ましい。
これにより、クラウン裏地における接合箇所を、クラウン表地における接合箇所と一致させることができ、クラウン裏地を設けたことによる接合箇所の増大を防ぐことが可能になる。
【００２１】
さらに、本発明の帽子においては、クラウン表地における後方被覆部の外面に、刺繍又はワッペンによる意匠部を施すことも好ましい。
【００２２】
既に述べたように、クラウン表地に接合箇所が多いと、刺繍やワッペンによる意匠部の寸法や配置が制限されやすいところ、本発明の帽子では、クラウン表地における接合箇所が少なく、意匠部の寸法や配置の自由度が高いからである。本発明の帽子では、クラウン表地の後方（後方被覆部）に、大きな意匠部を大胆に施すことも可能である。
【００２３】
このように、クラウン表地に意匠部を施す場合には、
意匠部を、クラウン表地における、
左横被覆部と左後被覆部との境界部分、
右横被覆部と右後被覆部との境界部分、又は、
左後被覆部と右後被覆部との境界部分
の中から選ばれる少なくとも１つの境界部分に跨った状態で施す
ことも可能である。
【００２４】
また、上記課題は、
着用者頭部の左前部を覆う略三角状の左前被覆部と、
着用者頭部の右前部を覆う略三角状の右前被覆部と、
着用者頭部の左横部を覆う略三角状の左横被覆部と、
着用者頭部の右横部を覆う略三角状の右横被覆部と、
着用者頭部の左後部を覆う略三角状の左後被覆部と、
着用者頭部の右後部を覆う略三角状の右後被覆部と、
を有する略半球状のクラウン表地が、互いに接合される複数枚の接合用生地によって構成された帽子であって、
クラウン表地における、
左前被覆部、左横被覆部及び左後被覆部で構成される左側被覆部と、
右前被覆部、右横被覆部及び右後被覆部で構成される右側被覆部とが、
別の接合用生地によって構成されるとともに、
クラウン表地における左側被覆部が、連続する１枚の接合用生地によって構成されて、
クラウン表地における右側被覆部が、連続する１枚の接合用生地によって構成された
ことを特徴とする帽子
を提供することによっても解決される。
【００２５】
これにより、クラウン表地における、着用者頭部の左半球部を覆う部分（左側被覆部）と、着用者頭部の右半球部を覆う部分（右側被覆部）とを、それぞれ１枚の接合用生地によって形成すること、言い換えると、クラウン表地をたった２枚の接合用生地で構成することが可能になる。すなわち、クラウン表地の接合箇所を減らすことが可能になる。このため、接合用生地を接合する手間を軽減し、帽子の製造コストを抑えることが可能になる。また、帽子の着用者が違和感を覚えやすい接合箇所がクラウン表地に少なく、被り心地が良好な帽子を提供することも可能になる。さらに、刺繍やワッペン等による意匠部を施すのに障害となる接合箇所がクラウン表地に少なく、意匠部の寸法や配置の自由度が高い帽子を提供することも可能になる。以下においては、この態様の帽子を「左右二分割タイプの帽子」と呼ぶことがある。
【００２６】
左右二分割タイプの帽子においては、
クラウン表地における左側被覆部の内面側に配されるクラウン裏地を、左側被覆部のクラウン表地と略同一形状をなす１枚の生地によって構成して、
左側被覆部のクラウン表地とクラウン裏地とを、その周縁部以外の部分では接合されない構造とし、
クラウン表地における右側被覆部の内面側に配されるクラウン裏地を、右側被覆部のクラウン表地と略同一形状をなす１枚の生地によって構成して、
右側被覆部のクラウン表地とクラウン裏地とを、その周縁部以外の部分では接合されない構造とすることが好ましい。
【００２７】
これにより、クラウン裏地における接合箇所を、クラウン表地における接合箇所と一致させることができ、クラウン裏地を設けたことによる接合箇所の増大を防ぐことが可能になる。加えて、左右二分割タイプの帽子においては、クラウン表地における左側被覆部又は右側被覆部の外面に、刺繍又はワッペンによる意匠部が施すことも好ましい。また、左右二分割タイプの帽子において、このように、クラウン表地に意匠部を施す場合には、
意匠部を、クラウン表地における、
左前被覆部と左横被覆部との境界部分、
左横被覆部と左後被覆部との境界部分、
右前被覆部と右横被覆部との境界部分、又は、
右横被覆部と右後被覆部との境界部分
の中から選ばれる少なくとも１つの境界部分に跨った状態で施すことも可能である。
【００２８】
さらに、上記課題は、
着用者頭部の左前部を覆う略三角状の左前被覆部と、
着用者頭部の右前部を覆う略三角状の右前被覆部と、
着用者頭部の左横部を覆う略三角状の左横被覆部と、
着用者頭部の右横部を覆う略三角状の右横被覆部と、
着用者頭部の左後部を覆う略三角状の左後被覆部と、
着用者頭部の右後部を覆う略三角状の右後被覆部と、
を有する略半球状のクラウン表地が、互いに接合される複数枚の接合用生地によって構成された帽子であって、
クラウン表地における、
左横被覆部の前側略半分と、左前被覆部と、右前被覆部と、右横被覆部の前側略半分とで構成される前側被覆部と、
左横被覆部の後側略半分と、左後被覆部と、右後被覆部と、右横被覆部の後側略半分とで構成される後側被覆部とが、
別の接合用生地によって構成されるとともに、
クラウン表地における前側被覆部が、連続する１枚の接合用生地によって構成されて、
クラウン表地における後側被覆部が、連続する１枚の接合用生地によって構成された
ことを特徴とする帽子
を提供することによっても解決される。
【００２９】
これにより、クラウン表地における、着用者頭部の前半球部を覆う部分（前側被覆部）と、着用者頭部の後半球部を覆う部分（後側被覆部）とを、それぞれ１枚の接合用生地によって形成すること、言い換えると、クラウン表地をたった２枚の接合用生地で構成することが可能になる。すなわち、クラウン表地の接合箇所を減らすことが可能になる。このため、接合用生地を接合する手間を軽減し、帽子の製造コストを抑えることが可能になる。また、帽子の着用者が違和感を覚えやすい接合箇所がクラウン表地に少なく、被り心地が良好な帽子を提供することも可能になる。さらに、刺繍やワッペン等による意匠部を施すのに障害となる接合箇所がクラウン表地に少なく、意匠部の寸法や配置の自由度が高い帽子を提供することも可能になる。以下においては、この態様の帽子を「前後二分割タイプの帽子」と呼ぶことがある。
【００３０】
前後二分割タイプの帽子においては、
クラウン表地における前側被覆部の内面側に配されるクラウン裏地を、前側被覆部のクラウン表地と略同一形状をなす１枚の生地によって構成して、
前側被覆部のクラウン表地とクラウン裏地とを、その周縁部以外の部分では接合されない構造とし、
クラウン表地における後側被覆部の内面側に配されるクラウン裏地を、後側被覆部のクラウン表地と略同一形状をなす１枚の生地によって構成して、
後側被覆部のクラウン表地とクラウン裏地とを、その周縁部以外の部分では接合されない構造とする
ことが好ましい。
【００３１】
これにより、クラウン裏地における接合箇所を、クラウン表地における接合箇所と一致させることができ、クラウン裏地を設けたことによる接合箇所の増大を防ぐことが可能になる。加えて、前後二分割タイプの帽子においては、クラウン表地における前側被覆部又は後側被覆部の外面に、刺繍又はワッペンによる意匠部が施すことも好ましい。また、前後二分割タイプの帽子において、このように、クラウン表地に意匠部を施す場合には、
意匠部を、クラウン表地における、
左横被覆部と左前被覆部との境界部分、
左前被覆部と右前被覆部との境界部分、
右前被覆部と右横被覆部との境界部分、
左横被覆部と左後被覆部との境界部分、
左後被覆部と右後被覆部との境界部分、又は、
右後被覆部と右横被覆部との境界部分
の中から選ばれる少なくとも１つの境界部分に跨った状態で施すことも可能である。
【発明の効果】
【００３２】
以上のように、本発明によって、クラウン表地における接合箇所（縫合箇所や溶着箇所等）が少なく、製造コストを抑えることができる帽子を提供することが可能になる。また、被り心地が良好な帽子を提供することも可能になる。さらに、クラウン表地の外面に設ける意匠部の寸法や配置の自由度が高い帽子を提供することも可能になる。そして、この帽子の製造方法を提供することも可能になる。
【図面の簡単な説明】
【００３３】
【図１】第一実施態様の帽子を前方斜め上から見た図である。
【図２】第一実施態様の帽子を上方から見た図である。
【図３】第一実施態様の帽子を下方から見た図である。
【図４】第一実施態様の帽子を分解した状態を示した斜視図である。
【図５】第二実施態様の帽子を前方斜め上から見た図である。
【図６】第三実施態様の帽子を前方斜め上から見た図である。
【図７】第三実施態様の帽子を上方から見た図である。
【図８】第三実施態様の帽子を下方から見た図である。
【図９】第三実施態様の帽子を分解した状態を示した斜視図である。
【図１０】第四実施態様の帽子を前方斜め上から見た図である。
【図１１】第五実施態様の帽子を上方から見た図である。
【図１２】第六実施態様の帽子を上方から見た図である。
【発明を実施するための形態】
【００３４】
０．  本発明の帽子
本発明に係る帽子の好適な実施態様について、図面を用いてより具体的に説明する。以下においては、主に、第一実施態様から第六実施態様までの６つの実施態様を例に挙げて、本発明の帽子を説明する。しかし、本発明の帽子の技術的範囲は、これらの実施態様に限定されることなく、発明の趣旨を損なわない範囲で適宜変更を施すことができる。
【００３５】
また、以下においては、説明の便宜上、クラウン表地等を構成する縫合用生地を縫合する場合を例に挙げて本発明の帽子を説明する。しかし、既に述べたように、本発明の帽子の技術的範囲には、クラウン表地等を形成する接合用生地を超音波ミシンで溶着等して形成する構成をも含まれる。以下における説明文中における「縫合」という語句を「溶着」や「接合」で置き換えた構成も、好適に採用することができる。
【００３６】
１．  第一実施態様の帽子
まず、第一実施態様の帽子について説明する。第一実施態様の帽子は、上述した「後方１枚タイプの帽子」に該当するものとなっている。図１は、第一実施態様の帽子を前方斜め上から見た図である。図２は、第一実施態様の帽子を上方から見た図である。図３は、第一実施態様の帽子を下方から見た図である。図４は、第一実施態様の帽子を分解した状態を示した斜視図である。
【００３７】
第一実施態様の帽子は、着用者の頭部を覆うクラウン１０（図１）と、クラウン１０から前方に突出して設けられた鍔２０（図１）と、クラウン１０の下縁部内側に沿って帯状に設けられたビン皮３０（図３）と、クラウン１０における縫合部分をクラウン１０の内側から補強するための裏打ち用帯片４０（図３）とを備えたものとなっている。クラウン１０は、図４に示すように、クラウン１０の外面を形成するクラウン表地１１と、クラウン表地１１の内面に沿って配されるクラウン裏地１２とで構成されている。
【００３８】
クラウン表地１１は、図１及び図２に示すように、着用者頭部の左前部を覆う略三角状の左前被覆部１１ａ１（図２において点Ｃ０，Ｐ１，Ｐ２で囲まれた略扇状の部分）と、着用者頭部の右前部を覆う略三角状の右前被覆部１１ａ２（図２において点Ｃ０，Ｐ１，Ｐ３で囲まれた略扇状の部分）と、着用者頭部の左横部を覆う略三角状の左横被覆部１１ｂ１（図２において点Ｃ０，Ｐ２，Ｐ４で囲まれた略扇状の部分）と、着用者頭部の右横部を覆う略三角状の右横被覆部１１ｂ２（図２において点Ｃ０，Ｐ３，Ｐ５で囲まれた略扇状の部分）と、着用者頭部の左後部を覆う略三角状の左後被覆部１１ｂ３（図２において点Ｃ０，Ｐ４，Ｐ６で囲まれた略扇状の部分）と、着用者頭部の右後部を覆う略三角状の右後被覆部１１ｂ４（図２において点Ｃ０，Ｐ５，Ｐ６で囲まれた略扇状の部分）とを有する略半球状の部材となっている。
【００３９】
このクラウン表地１１は、図４に示すように、左前被覆部１１ａ１及び右前被覆部１１ａ２で構成される前方被覆部１１ａと、左横被覆部１１ｂ１、右横被覆部１１ｂ２、左後被覆部１１ｂ３及び右後被覆部１１ｂ４で構成される後方被覆部１１ｂとが、別の縫合用生地によって構成されている。具体的には、前方被覆部１１ａが、２枚の縫合用生地１３ａ，１３ｂを縫合することによって構成されており、後方被覆部１１ｂが、１枚の縫合用生地１４によって構成されている。これらの縫合用生地１３ａ，１３ｂ，１４は、その側縁同士を互いに縫合することによって互いに繋げられ、図１に示すような半球状となるようになっている。
【００４０】
既に述べたように、従来の帽子では、クラウン表地１１における後方被覆部１１ｂに相当する部分が４枚程度の縫合用生地によって構成されるところ、第一実施態様の帽子では、１枚の縫合用生地１４によって構成されている。換言すると、クラウン表地１１の後方被覆部１１ｂが、その左横被覆部１１ｂ１から、左後被覆部１１ｂ３と右後被覆部１１ｂ４とを経て、右横被覆部１１ｂ２に至る部分までにおいて、連続する１枚の縫合用生地１４によって構成されている。
【００４１】
このため、第一実施態様の帽子は、図２に示すように、クラウン表地１１における左前被覆部１１ａ１を形成する縫合用生地１３ａと、クラウン表地１１における右前被覆部１１ａ２を形成する縫合用生地１３ｂとを縫合部分α１で縫合し、クラウン表地１１における後方被覆部１１ｂを形成する縫合用生地１４の側縁を、縫合用生地１３及び縫合用生地１４に対して縫合部分α２及び縫合部分α３でそれぞれ縫合するというように、３箇所を縫合するだけで、略半球状のクラウン表地１１を得ることができるものとなっている。
【００４２】
したがって、第一実施態様の帽子では、縫合用生地１３ａ，１３ｂ，１４を縫合する手間を軽減し、帽子の製造コストを大幅に抑えることが可能となっている。また、帽子の着用者が違和感を覚えやすい縫合部分α１，α２，α３を少なくし、帽子の被り心地を良好にすることも可能となっている。さらに、刺繍やワッペン等による意匠部を施すのに障害となる縫合部分α１，α２，α３も少なくし、帽子を、意匠部の寸法や配置の自由度が高いものとすることも可能となっている。特に、後方被覆部１１ｂが１枚の縫合用生地１４によって構成された第一実施態様の帽子では、クラウン表地１１の外面における、左横被覆部１１ｂ１と左後被覆部１１ｂ３との境界部分（図２における点Ｃ０と点Ｐ４とを結ぶ線上の部分）や、右横被覆部１１ｂ２と右後被覆部１１ｂ４との境界部分（図２における点Ｃ０と点Ｐ５とを結ぶ線上の部分）や、左後被覆部１１ｂ３と右後被覆部１１ｂ４との境界部分（図２における点Ｃ０と点Ｐ６とを結ぶ線上の部分）に、意匠部を綺麗に施すことが可能となっている。
【００４３】
クラウン表地１１における後方被覆部１１ｂを構成する縫合用生地１４は、図２における、点Ｃ０と点Ｐ４と点Ｐ５とで囲まれる扇形状の全体部分（左後被覆部１１ｂ３及び右後被覆部１１ｂ４）を含み、且つ、点Ｃ０と点Ｐ２と点Ｐ４とで囲まれる扇形状の部分（左横被覆部１１ｂ１）のうち、後側（左後被覆部１１ｂ３側）の少なくとも一部と、点Ｃ０と点Ｐ３と点Ｐ５とで囲まれる扇形状の部分（右横被覆部１１ｂ２）のうち、後側（右後被覆部１１ｂ４側）の少なくとも一部を含むのであれば、その大きさは、特に限定されない。換言すると、縫合用生地１４の中心角θが、角Ｐ４Ｃ０Ｐ５（約１２０°）よりも大きくなるのであれば、縫合用生地１４の大きさは、特に限定されない。
【００４４】
しかし、後方被覆部１１ｂを構成する縫合用生地１４の中心角θを小さくしすぎると、必然的に、前方被覆部１１ａを構成する縫合用生地１３ａ，１３ｂの面積が大きくなる。縫合用生地１３ａ，１３ｂは、後述するように、クラウン１０の保形性を保つために、厚手の生地によって形成することが好ましいところ、このように厚手の生地からなる縫合用生地１３ａ，１３ｂの面積が大きくなると、縫合用生地１３ａ，１３ｂが球面状に綺麗に湾曲しにくくなる虞がある。また、この問題を解消するために、クラウン表地１１における前方被覆部１１ａを３枚以上の縫合用生地に分割すると、その分、クラウン表地１１の縫合部分が増加することになる。このため、縫合用生地１４の中心角θは、１８０°以上とすると好ましい。縫合用生地１４の中心角θは、２００°以上とするとより好ましく、２２０°以上とするとさらに好ましい。
【００４５】
一方、後方被覆部１１ｂを構成する縫合用生地１４の中心角θを大きくしすぎると、必然的に、前方被覆部１１ａを構成する縫合用生地１３ａ，１３ｂの面積が小さくなる。このため、クラウン１０の保形性を保ちにくくなる虞がある。また、縫合用生地１４は、後述するように、薄手の生地によって形成することが好ましいところ、その面積を大きくしすぎると、縫合用生地１４を薄手の生地によって形成したとしても、縫合用生地１４を球面状に綺麗に湾曲させることが難しくなる虞もある。このため、縫合用生地１４の中心角θは、３００°以下とすると好ましい。縫合用生地１４の中心角θは、２８０°以下とするとより好ましく、２６０°以下とするとさらに好ましい。第一実施態様の帽子において、縫合用生地１４の中心角θは、約２４０°となっている。
【００４６】
ところで、第一実施態様の帽子においては、クラウン表地１１のうち、前方被覆部１１ａを形成する縫合用生地１３ａ，１３ｂには、芯地を含む硬質生地（厚手の生地）を用いている。具体的には、片面（外面）に接着剤（ホットメルト接着剤）が塗布された生地（接着芯地）における接着剤が塗布された側の面（外面）に別の生地（表皮）を重ねたものに加熱圧縮処理を施した後、上記の接着剤を硬化させたものを、縫合用生地１３ａ，１３ｂとして用いている。縫合用生地１３ａ，１３ｂの表皮は、通常、合成繊維若しくは天然繊維又はこれらを組み合わせた繊維からなる織地又は編地とされる。
【００４７】
縫合用生地１３ａ，１３ｂの加熱圧縮処理は、プレス面が球面状に湾曲されたプレス装置を用い、加熱圧縮処理を行う際に、縫合用生地１３ａ，１３ｂを球面状に湾曲させると好ましい。これにより、縫合用生地１３ａ，１３ｂを、硬質ながらも綺麗な球面状に湾曲させることが可能になる。これにより、後述するように、クラウン表地１１の後方被覆部１１ｂを薄手の生地で形成したとしても、クラウン１０の保形性を良好に保つことが可能になる。
【００４８】
これに対し、クラウン表地１１の後方被覆部１１ｂを形成する縫合用生地１４には、芯地を含まない柔軟生地（薄手の生地）を用いている。具体的には、上記の縫合用生地１３ａ，１３ｂにおける表皮に相当する部分のみを、縫合用生地１４として用いている。このため、クラウン表地１１の後方被覆部１１ｂを形成する縫合用生地１４は、通常、クラウン表地１１の前方被覆部１１ａを形成する縫合用生地１３ａ，１３ｂよりも薄く柔軟に形成される。
【００４９】
第一実施態様の帽子では、クラウン表地１１における後方被覆部１１ｂを構成する縫合用生地１４の面積（１枚当たりの面積）が、従来の帽子における後方被覆部１１ｂに相当する部分を構成する縫合用生地の１枚当たりの面積よりも大きい。このため、第一実施態様の帽子では、縫合用生地１４を綺麗な球面状に湾曲させることが難しいところ、この縫合用生地１４を薄手の生地で形成することによって、縫合用生地１４を綺麗な球面状に湾曲させやすくすることが可能になる。また、クラウン表地１１における後方被覆部１１ｂを、その内部に風が入った際に外側に膨らみやすいものとし、クラウン１０におけるベンチレーション作用を高めることも可能になる。縫合用生地１４は、防シワ加工を施したものを用いるとより好ましい。
【００５０】
ところで、上記の縫合用生地１４のように、面積が大きな生地は、内面が略球面状に形成された凹部を有する雌型と、外面が略球面状に形成された凸部を有する雄型との間に生地を配して、雌型の凹部や雌型の凸部に設けた蒸気孔から生地に蒸気を吹き付けながら、雌型と雄型とを型締めし、雌型の凹部と雄型の凸部との間で生地を挟持して加圧することで、その生地を綺麗な球面状に仕上げることができる。本明細書においては、この加工を「ファーミング加工」と呼ぶことがある。第一実施態様の帽子でも、上記の縫合用生地１４にはファーミング加工を施している。ファーミング加工は、縫合用生地１４だけでなく、縫合用生地１１ａ等に施すこともできる。また、後述する第二実施態様から第六実施態様までの帽子のクラウン１０を構成する各縫合用生地（接合用生地）にも、ファーミング加工を施すことができる。
【００５１】
既に述べたように、第一実施態様の帽子では、クラウン表地１１の内面側にクラウン裏地１２を設けている。クラウン裏地１２は、通気孔等の開口部を有さない連続面状（閉塞面状）の生地としてもよいが、第一実施態様の帽子において、クラウン裏地１２は、メッシュ生地としており、通気性に優れたものとなっている。また、べたつきにくく肌触りも良好なものとなっている。このクラウン裏地１２は、通気性を向上させたり、肌触りを良好にしたりするほか、上記のように薄手の生地によって形成された縫合用生地１４を内面側から支持する機能をも有している。
【００５２】
クラウン裏地１２を設ける場合、クラウン裏地１２は、クラウン表地１１の内面側における全体に配してもよいが、第一実施態様の帽子においては、図３及び図４に示すように、クラウン表地１１の後方被覆部１１ｂにおける内面側にのみ、クラウン裏地１２を配している。このクラウン裏地１２は、クラウン表地１１における後方被覆部１１ｂを構成する縫合用生地１４と同じ枚数（１枚）で略同一形状（中心角が１８０°を超える扇形状）となっている。
【００５３】
クラウン裏地１２は、クラウン表地１１に対して縫着されるところ、クラウン裏地１２をクラウン表地１１と同じ枚数の略同一形状とすることにより、クラウン表地１１に対するクラウン裏地１２の縫着部分を、クラウン表地１１の縫合部分に重ねることが可能になる。第一実施態様の帽子においては、図２における縫着部分α２と縫着部分α３とでクラウン表地１１に対してクラウン裏地１２を縫着するようにしている。これにより、クラウン１０に、縫合部分の箇所数が増大しないようにすることが可能になる。
【００５４】
クラウン１０の内面側には、図３に示すように、裏打ち用帯片４０が配されている。裏打ち用帯片４０のうち、裏打ち用帯片４２は、縫合部分α２（図２）に沿った状態に配され、縫合用生地１３ａ、縫合用生地１４及びクラウン裏地１２とともに縫合される。また、裏打ち用帯片４３は、縫合部分α３（図２）に沿った状態に配され、縫合用生地１３ｂ及び縫合用生地１４とクラウン裏地１２とともに縫合される。さらに、裏打ち用帯片４１は、縫合部分α１に沿った状態に配され、縫合用生地１３ａ及び縫合用生地１３ｂとともに縫合される。このため、縫合部分α１，α２，α３は、それぞれ裏打ち用帯片４１，４２，４３によって補強された状態となっている。
【００５５】
クラウン裏地１２の下縁（図２における円弧Ｐ２Ｐ４Ｐ６Ｐ５Ｐ３に沿う部分）は、クラウン表地１１の下縁に対して縫着しても、縫着しなくてもよい。後者の場合には、クラウン表地１１とクラウン裏地１２との隙間に、クラウン１０の下側から外気が入り込みやすくして、ベンチレーション効果を高めることも可能である。クラウン裏地１２は、その外面側の略全体をクラウン裏地に対して接着してもよい。ただし、この場合には、上記のベンチレーション機能は犠牲になる。
【００５６】
２．  第二実施態様の帽子
続いて、第二実施態様の帽子について説明する。図５は、第二実施態様の帽子を前方斜め上から見た図である。図５に示すように、第二実施態様の帽子も、上記の第一実施態様の帽子と同様、クラウン表地１１における後方被覆部１１ｂが１枚の縫合用生地１４によって構成されており、「後方１枚タイプの帽子」に該当するものとなっている。以下においては、主に、第二実施態様の帽子における、第一実施態様の帽子と異なる部分について説明し、第一実施態様の帽子と同様の部分については、説明を割愛する。
【００５７】
第一実施態様の帽子では、図１に示すように、クラウン表地１１における前方被覆部１１ａが、２枚の縫合用生地１３ａ，１３ｂによって構成されていた。これに対し、第二実施態様の帽子では、図５に示すように、クラウン表地１１における前方被覆部１１ａが、１枚の縫合用生地１３によって構成されている。すなわち、第二実施態様の帽子では、クラウン表地１１を構成する縫合用生地１３，１４の枚数が、第一実施態様の帽子よりもさらに１枚少なくなっており、合計２枚となっている。このため、第一実施態様の帽子では存在していた縫合部分α１（図２）を、第二実施態様の帽子では省略することができる。
【００５８】
したがって、第二実施態様の帽子では、クラウン表地１１を縫合する手間やコストをさらに軽減できるだけでなく、被り心地をさらによくすることも可能となっている。また、第二実施態様の帽子では、クラウン表地１１の前側に、縫合部分α１が存在しない分、左前被覆部１１ａ１と右前被覆部１１ａ２との境界部分に、刺繍やワッペンによる意匠部を設けやすくすることも可能となっている。縫合用生地１３は、その中心角が１２０°程度のものであれば、上述した加熱圧縮処理によって、綺麗な曲面状に湾曲させることも可能である。
【００５９】
３．  第三実施態様の帽子
続いて、第三実施態様の帽子について説明する。第三実施態様の帽子は、上述した「後方２枚タイプの帽子」に該当するものとなっている。図６は、第三実施態様の帽子を前方斜め上から見た図である。図７は、第三実施態様の帽子を上方から見た図である。図８は、第三実施態様の帽子を下方から見た図である。図９は、第三実施態様の帽子を分解した状態を示した斜視図である。以下においては、主に、第三実施態様の帽子における、第一実施態様の帽子と異なる部分について説明し、第一実施態様の帽子と同様の部分については、説明を割愛する。
【００６０】
第一実施態様の帽子では、図４に示すように、クラウン表地１１における後方被覆部１１ｂが１枚の縫合用生地１４によって構成されていたが、第二実施態様の帽子では、図９に示すように、クラウン表地１１における後方被覆部１１ｂが２枚の縫合用生地１４ａ，１４ｂによって構成されている。図７に示すように、縫合用生地１４ａは、クラウン表地１１の左横被覆部１１ｂ１から左後被覆部１１ｂ３に至る部分までにおいて連続しており、縫合用生地１４ｂは、クラウン表地１１の右横被覆部１１ｂ２から右後被覆部１１ｂ４に至る部分までにおいて連続している。
【００６１】
第三実施態様の帽子では、クラウン表地１１の後方被覆部１１ｂを構成する縫合用生地１４ａと縫合用生地１４ｂとを、図７に示す縫合部分α４で縫合する必要がある。クラウン１０の内面側における縫合部分α４の内面側には、図８に示すように、裏打ち用帯片４４を配して縫合している。第三実施態様の帽子は、この縫合部分α４で縫合する必要がある分、上記の第一実施態様の帽子と比較して、縫合部分が１箇所多くなる。しかし、それでもなお、クラウン表地１１の後方被覆部１１ｂにおける、左横被覆部１１ｂ１と左後被覆部１１ｂ３との境界部分や、右横被覆部１１ｂ２と右後被覆部１１ｂ４との境界部分を縫合する必要がない。このため、第三実施態様の帽子でも、クラウン表地１１の縫合に要する手間を大幅に軽減するだけでなく、帽子を被った際の違和感を大幅に軽減することが可能である。また、クラウン表地１１の後方被覆部１１ｂの広い範囲において、刺繍やワッペンによる意匠部を好適に施すこともできる。
【００６２】
第三実施態様の帽子のように、クラウン表地１１の後方被覆部１１ｂを２枚の縫合用生地１４ａ，１４ｂで構成する場合、これら２枚の縫合用生地１４ａ，１４ｂを合わせた部分の形状や寸法等は、上記の第一実施態様の帽子における縫合用生地１４（図２）と同様とされる。すなわち、縫合用生地１４ａの中心角θ１（図７）と縫合用生地１４ｂの中心角θ２（図７）との和θ１＋θ２は、縫合用生地１４の中心角θ（図２）と同程度とされる。縫合用生地１４ａの中心角θ１と縫合用生地１４ｂの中心角θ２は、異なる角度に設定してもよいが、通常、等しい値に設定される。換言すると、縫合用生地１４ａと縫合用生地１４ｂは、通常、左右対称とされる。
【００６３】
４．  第四実施態様の帽子
続いて、第四実施態様の帽子について説明する。図１０は、第四実施態様の帽子を前方斜め上から見た図である。図１０に示すように、第四実施態様の帽子も、上記の第三実施態様の帽子と同様、クラウン表地１１における後方被覆部１１ｂが２枚の縫合用生地１４ａ，１４ｂによって構成されており、「後方２枚タイプの帽子」に該当するものとなっている。以下においては、主に、第四実施態様の帽子における、第三実施態様の帽子と異なる部分について説明し、第三実施態様の帽子と同様の部分については、説明を割愛する。
【００６４】
第三実施態様の帽子では、図６に示すように、クラウン表地１１における前方被覆部１１ａが、２枚の縫合用生地１３ａ，１３ｂによって構成されていた。これに対し、第四実施態様の帽子では、図１０に示すように、クラウン表地１１における前方被覆部１１ａが、１枚の縫合用生地１３によって構成されている。すなわち、第四実施態様の帽子では、クラウン表地１１を構成する縫合用生地１３，１４ａ，１４ｂの枚数が、第三実施態様の帽子よりもさらに１枚少なくなっており、合計３枚となっている。このため、第三実施態様の帽子では存在していた縫合部分α１（図７）を、第四実施態様の帽子では省略することができる。
【００６５】
したがって、第四実施態様の帽子では、クラウン表地１１を縫合する手間やコストをさらに軽減できるだけでなく、被り心地をさらによくすることも可能となっている。また、第四実施態様の帽子では、クラウン表地１１の前側に、縫合部分α１が存在しない分、左前被覆部１１ａ１と右前被覆部１１ａ２との境界部分に、刺繍やワッペンによる意匠部を設けやすくすることも可能となっている。縫合用生地１３は、その中心角が１２０°程度のものであれば、上述した加熱圧縮処理によって、綺麗な曲面状に湾曲させることも可能である。
【００６６】
５．  第五実施態様の帽子
続いて、第五実施態様の帽子について説明する。図１１は、第五実施態様の帽子を上方から見た図である。以下においては、主に、第五実施態様の帽子における、第三実施態様の帽子と異なる部分について説明し、第三実施態様の帽子と同様の部分については、説明を割愛する。
【００６７】
上述した第三実施態様の帽子では、図７に示すように、クラウン１０の前方における点Ｐ１から中心点Ｃ０を経て後方における点Ｐ６に至る前後方向の縫合部分α１，α４に沿ってクラウン表地１１が縫合（接合）されていることに加えて、クラウン１０の左前における点Ｐ２から中心点Ｃ０に至る縫合部分α２と、クラウン１０の右前における点Ｐ３から中心点Ｃ０に至る縫合部分α３とでもクラウン表地１１が縫合（接合）されていた。
【００６８】
これに対し、第五実施態様の帽子では、図１１に示すように、クラウン１０の前方における点Ｐ１から中心点Ｃ０を経て後方における点Ｐ６に至る前後方向の縫合部分α１，α４に沿ってのみクラウン表地１１が縫合（接合）されており、クラウン１０の左前における点Ｐ２から中心点Ｃ０に至る縫合部分α２と、クラウン１０の右前における点Ｐ３から中心点Ｃ０に至る縫合部分α３とでは、クラウン表地１１が縫合（接合）されていない。
【００６９】
すなわち、第五実施態様の帽子は、クラウン表地１１における、着用者頭部の左半球部を覆う部分（左前被覆部１１ａ１、左横被覆部１１ｂ１及び右後被覆部１１ｂ３からなる左側被覆部）と、着用者頭部の右半球部を覆う部分（右前被覆部１１ａ２、右横被覆部１１ｂ２及び右後被覆部１１ｂ４からなる右側被覆部）とを、それぞれ１枚の接合用生地１５ａ，１５ｂによって形成するこことが可能になる。この第五実施態様の帽子は、上述した左右二分割タイプの帽子に該当するものとなっている。第五実施態様の帽子における縫合用生地１５ａ，１５ｂも、面積が大きいが、薄手の生地を用い、当該生地にファーミング加工を施すことで、縫合用生地１５ａ，１５ｂを綺麗な球面状に仕上げることが可能である。
【００７０】
６．  第六実施態様の帽子
最後に、第六実施態様の帽子について説明する。図１２は、第六実施態様の帽子を上方から見た図である。以下においては、主に、第六実施態様の帽子における、第五実施態様の帽子と異なる部分について説明し、第五実施態様の帽子と同様の部分については、説明を割愛する。
【００７１】
上述した第五実施態様の帽子では、図１１に示すように、クラウン表地１１が、前後方向の縫合部分α１，α４に沿ってのみ縫合（接合）されていた。これに対し、第六実施態様の帽子では、図１２に示すように、クラウン表地１１が、前後方向ではなく、それに垂直な左右方向の縫合部分α５，α６に沿ってのみ縫合（接合）されている。すなわち、第六実施態様の帽子は、クラウン表地１１における、着用者頭部の前半球部を覆う部分（左横被覆部１１ｂ１の前側略半分と、左前被覆部１１ａ１と、右前被覆部１１ａ２と、右横被覆部１１ｂ２の前側略半分とで構成される前側被覆部）と、着用者頭部の後半球部を覆う部分（左横被覆部１１ｂ１の後側略半分と、左後被覆部１１ａ３と、右後被覆部１１ｂ４と、右横被覆部１１ｂ２の後側略半分とで構成される後側被覆部）とを、それぞれ１枚の接合用生地１６ａ，１６ｂによって形成するこことが可能になる。
【００７２】
この第六実施態様の帽子は、上述した前後二分割タイプの帽子に該当するものとなっている。第六実施態様の帽子における縫合用生地１６ａ，１６ｂも、面積が大きいが、薄手の生地を用い、当該生地にファーミング加工を施すことで、縫合用生地１６ａ，１６ｂを綺麗な球面状に仕上げることが可能である。
【００７３】
７．用途
本発明の帽子は、その用途を特に限定されるものではなく、半球状のクラウンを備えた各種の帽子として採用することができる。なかでも、野球帽などの運動帽や、通学帽や、作業帽等として好適に採用することができる。
【符号の説明】
【００７４】
１０      クラウン
１１      クラウン表地
１１ａ    前方被覆部
１１ａ１  左前被覆部
１１ａ２  右前被覆部
１１ｂ    後方被覆部
１１ｂ１  左横被覆部
１１ｂ２  右横被覆部
１１ｂ３  左後被覆部
１１ｂ４  右後被覆部
１２      クラウン裏地
１３      縫合用生地
１３ａ    縫合用生地
１３ｂ    縫合用生地
１４      縫合用生地
１４ａ    縫合用生地
１４ｂ    縫合用生地
１５ａ    縫合用生地
１５ｂ    縫合用生地
１６ａ    縫合用生地
１６ｂ    縫合用生地
２０      鍔
３０      ビン皮
４０      裏打ち用帯片
４１      裏打ち用帯片
４２      裏打ち用帯片
４３      裏打ち用帯片
４４      裏打ち用帯片
α１    縫合部分
α２    縫合部分
α３    縫合部分
α４    縫合部分
α５    縫合部分
α６    縫合部分
θ      クラウン表地における後方被覆部を構成する縫合用生地の中心角
θ１    クラウン表地における後方被覆部の左側を構成する縫合用生地の中心角
θ２    クラウン表地における後方被覆部の右側を構成する縫合用生地の中心角
【図１】
2019081992.tif 000003
【図２】
2019081992.tif 000004
【図３】
2019081992.tif 000005
【図４】
2019081992.tif 000006
【図５】
2019081992.tif 000007
【図６】
2019081992.tif 000008
【図７】
2019081992.tif 000009
【図８】
2019081992.tif 000010
【図９】
2019081992.tif 000011
【図１０】
2019081992.tif 000012
【図１１】
2019081992.tif 000013
【図１２】
2019081992.tif 000014